(57)【要約】【課題】防犯性能に優れるサッシを提供する。【解決手段】サッシの下枠部のうち第１レール部よりも室外側の位置に枠内部に向けて突出するとともに少なくとも外障子の下端部を室外側から遮蔽する第１防犯フランジ部を延設し、下枠部のうち第１レール部と第２レール部との間の位置に枠内部に向けて突出するとともに少なくとも内障子の下端部を室外側から遮蔽する第２防犯フランジ部を延設する。【選択図】図２
2006144275.tif 000002
【特許請求の範囲】
【請求項１】
一対の横枠と一対の縦枠とから構成される矩形の枠状に形成され構造物の室内外を区画する壁部に取付される枠体と、該枠体の底部を構成する下枠部に延設され該枠体の枠内部に向けて突出する第１レール部と、該下枠部のうち該第１レール部よりも室内側の位置に延設され該枠内部に向けて突出する第２レール部と、矩形の板状に形成され底部が該第１レール部に取付されて該第１レール部上を滑動する外障子と、矩形の板状に形成され底部が該第２レール部に取付されて該第２レール部上を滑動する内障子と、を持ち、該外障子と該内障子とが該枠内部を引き違い状に開閉するサッシであって、
前記枠体は、前記下枠部のうち前記第１レール部よりも室外側の位置に延設され前記枠内部に向けて突出するとともに少なくとも前記外障子の下端部を室外側から遮蔽する第１防犯フランジ部と、前記下枠部のうち前記第１レール部と前記第２レール部との間の位置に延設され前記枠内部に向けて突出するとともに少なくとも前記内障子の下端部を室外側から遮蔽する第２防犯フランジ部と、を備えることを特徴とするサッシ。
【請求項２】
前記第１防犯フランジ部および前記第２防犯フランジ部は、前記下枠部と一体に形成されている請求項１記載のサッシ。
【請求項３】
前記外障子のうち室外側の下端部が、前記第１防犯フランジ部の突出端のうち室内側の端部と、前記第１レール部の基部のうち室外側の端部と、を通る直線よりも下方に配され、
前記内障子のうち室外側の下端部が、前記第２防犯フランジ部の突出端のうち室内側の端部と、前記第２レール部の基部のうち室外側の端部と、を通る直線よりも下方に配されている請求項１記載のサッシ。
【請求項４】
前記第１防犯フランジ部と前記第２防犯フランジ部との少なくとも一方の突出端には、室内側に延びる突起部が設けられている請求項１記載のサッシ。
【請求項５】
前記第１レール部、前記第２レール部、前記第１防犯フランジ部および前記第２防犯フランジ部は、突出高さが同じである請求項１記載のサッシ。
【請求項６】
前記第１防犯フランジ部および前記第２防犯フランジ部は、前記第１レール部および前記第２レール部よりも厚肉に形成されている請求項１記載のサッシ。
【請求項７】
前記第１防犯フランジ部および前記第２防犯フランジ部は、基部が厚肉に形成されている請求項１記載のサッシ。
【請求項８】
一対の横枠と一対の縦枠とから構成される矩形の枠状に形成され構造物の室内外を区画する壁部に取付される枠体と、該枠体の底部を構成する下枠部に延設され該枠体の枠内部に向けて突出するレール部と、矩形の板状に形成され底部が該レール部に取付されて該レール部上を滑動する障子と、を持つサッシであって、
前記枠体は、前記下枠部のうち前記レール部よりも室外側の位置に延設され前記枠内部に向けて突出するとともに少なくとも前記外障子の下端部を室外側から遮蔽する防犯フランジ部を備えることを特徴とするサッシ。
【発明の詳細な説明】
【技術分野】
【０００１】
本発明は、構造物の室内外を開閉自在に区画するサッシに関する。
【背景技術】
【０００２】
サッシは、一般に、枠体と外障子と内障子とを備えるものであり、枠体の下枠に２つのレール部を互いに離間して延設し、この２つのレール部に各々外障子と内障子とを取り付けて、レール部上を滑動させることで、枠体の枠内部を外障子と内障子とで引き違い状に開閉するものである。このようなサッシは、構造物の室内外を区画する壁部に取付され、構造部の室内外を開閉自在に区画するために従来より広く用いられている（例えば、特許文献１、２）。
【０００３】
ところで、近年では構造物に対する防犯性能向上の要求が高まっている。一方、上述した従来のサッシでは防犯性能が充分に発揮されているとは言い難い。サッシは、一般には、外障子と内障子とを閉位置、すなわち枠内部を閉じる位置に配した状態で、クレセント錠などを用いて内障子と外障子とを互いに固定することで施錠するが、従来のサッシでは、外障子や内障子の下端部と下枠部の上面との間に隙間が形成され、この隙間は室外側に露出している。このため、例えばこの隙間に室外側からバール等の工具を挿入して外障子や内障子を上下方向に揺さぶると、内障子と外障子とを互いに固定するクレセント錠が開錠されたり、破壊される場合がある。また、内障子や外障子が第１レールや第２レールから外れる場合もある。これらの場合には、枠体の枠内部が開かれて、室外側から侵入可能になるおそれがある。また、一枚の障子のみが滑動するサッシにおいても同様に、障子の下端部とした枠部の上面との間に隙間があるために、枠体の枠内部が開かれて、室外側から侵入可能になるおそれがある。
【０００４】
このため、このようなサッシを取付けする構造物の形状や配設位置等によっては、別途防犯用の装置等を取り付ける必要があり、ユーザーに要求される負担が大きくなる事情があった。
【特許文献１】特開２０００−１７０４２９号公報
【特許文献２】特開２００２−３０９８６５号公報
【発明の開示】
【発明が解決しようとする課題】
【０００５】
本発明は上記事情に鑑みて成されたものであり、防犯性能に優れるサッシを提供することを目的とする。
【課題を解決するための手段】
【０００６】
上記課題を解決する本発明（第１発明）のサッシは、一対の横枠と一対の縦枠とから構成される矩形の枠状に形成され構造物の室内外を区画する壁部に取付される枠体と、枠体の底部を構成する下枠部に延設され枠体の枠内部に向けて突出する第１レール部と、下枠部のうち第１レール部よりも室内側の位置に延設され枠内部に向けて突出する第２レール部と、矩形の板状に形成され底部が第１レール部に取付されて第１レール部上を滑動する外障子と、矩形の板状に形成され底部が第２レール部に取付されて第２レール部上を滑動する内障子と、を持ち、外障子と内障子とが枠内部を引き違い状に開閉するサッシであって、上記枠体は、上記下枠部のうち上記第１レール部よりも室外側の位置に延設され上記枠内部に向けて突出するとともに少なくとも上記外障子の下端部を室外側から遮蔽する第１防犯フランジ部と、上記下枠部のうち上記第１レール部と上記第２レール部との間の位置に延設され上記枠内部に向けて突出するとともに少なくとも上記内障子の下端部を室外側から遮蔽する第２防犯フランジ部と、を備えることを特徴とする。
【０００７】
第１発明のサッシは以下の（１）〜（６）のように構成されていることが好ましい。
【０００８】
（１）上記第１防犯フランジ部および上記第２防犯フランジ部は、上記下枠部と一体に形成されている。
【０００９】
（２）上記外障子のうち室外側の下端部が、上記第１防犯フランジ部の突出端のうち室内側の端部と、上記第１レール部の基部のうち室外側の端部と、を通る直線よりも下方に配され、上記内障子のうち室外側の下端部が、上記第２防犯フランジ部の突出端のうち室内側の端部と、上記第２レール部の基部のうち室外側の端部と、を通る直線よりも下方に配されている。
【００１０】
（３）上記第１防犯フランジ部と上記第２防犯フランジ部との少なくとも一方の突出端には、室内側に延びる突起部が設けられている。
【００１１】
（４）上記第１レール部、上記第２レール部、上記第１防犯フランジ部および上記第２防犯フランジ部は、突出高さが同じである。
【００１２】
（５）上記第１防犯フランジ部および上記第２防犯フランジ部は、上記第１レール部および上記第２レール部よりも厚肉に形成されている。
【００１３】
（６）上記第１防犯フランジ部および上記第２防犯フランジ部は、基部が厚肉に形成されている。
【００１４】
また、上記課題を解決する本発明（第２発明）のサッシは、一対の横枠と一対の縦枠とから構成される矩形の枠状に形成され構造物の室内外を区画する壁部に取付される枠体と、枠体の底部を構成する下枠部に延設され枠体の枠内部に向けて突出するレール部と、矩形の板状に形成され底部がレール部に取付されてレール部上を滑動する障子と、を持つサッシであって、上記枠体は、上記下枠部のうち上記レール部よりも室外側の位置に延設され上記枠内部に向けて突出するとともに少なくとも上記外障子の下端部を室外側から遮蔽する防犯フランジ部を備えることを特徴とする。
【発明の効果】
【００１５】
第１発明のサッシでは、外障子の下端部が第１防犯フランジ部によって、内障子の下端部が第２防犯フランジ部によって、各々室外側から遮蔽される。このため、外障子の下端部と下枠部との隙間や、内障子の下端部と下枠部との隙間に室外側からバール等を差し込もうとすると、バールが第１防犯フランジ部および第２防犯フランジ部に干渉される。このため、この隙間にバール等を差し込むことが困難になる。したがって、本発明のサッシによると、施錠した状態で室外側から枠体の枠内部が開かれることが回避され、室外側から侵入されることがなくなる。
【００１６】
第２発明のサッシは、一の障子のみが滑動するものであるが、上述した第１発明のサッシと同様に、障子の下端部が防犯フランジ部によって室外側から遮蔽されることで、施錠した状態で室外側から枠体の枠内部が開かれることが回避され、室外側から侵入されることがなくなる。
【００１７】
第１発明のサッシを上記構成（１）のように構成する場合には、第１防犯フランジ部と第２防犯フランジ部とが下枠部と一体に形成されることで、第１防犯フランジ部と第２防犯フランジ部とが下枠部に強固に一体化される。このため、第１防犯フランジ部と第２防犯フランジ部と下枠部から外す（あるいは破損させる）ことが困難となり、外障子の下端部と内障子の下端部とを露出させることができない。したがって、施錠した状態で室外側から外障子および内障子を外すことができず、サッシがさらに防犯性能に優れたものとなる。
【００１８】
第１発明のサッシを上記構成（２）のように構成する場合には、外障子の下端部と下枠部との隙間、および、内障子の下端部と下枠部との隙間にバールを差し込むことがさらに困難になり、サッシがさらに防犯性能に優れたものとなる。
【００１９】
第１発明のサッシを上記構成（３）のように構成する場合には、突起部によって第１防犯フランジ部と外障子との隙間、および、第２防犯フランジ部と内障子との隙間が狭められる。よって、外障子の下端部と下枠部との隙間、および内障子の下端部と下枠部との隙間にバールを差し込むことがより一層困難になり、サッシがより一層防犯性能に優れたものとなる。
【００２０】
第１発明のサッシを上記構成（４）のように構成する場合には、下枠部上面が略面一になり、下枠部から第１レール部、第２レール部、第１防犯フランジ部、および、第２防犯フランジ部に由来する障壁が除去される。したがって、本発明のサッシに所謂バリアフリー性能が付与される。
【００２１】
第１発明のサッシを上記構成（５）のように構成する場合には、第１防犯フランジ部および第２防犯フランジ部が厚肉に形成されることで、第１防犯フランジ部と第２防犯フランジ部とが下枠部にさらに強固に一体化される。このため、上述した構成（１）の場合と同様に、第１防犯フランジ部と第２防犯フランジ部とを下枠部から外す（あるいは破損させる）ことがより一層困難となる。したがって、外障子の下端部と内障子の下端部とを露出させ、外障子および内障子を外すことをより確実に回避でき、サッシがより一層防犯性能に優れたものとなる。
【００２２】
第１発明のサッシを上記構成（６）のように構成する場合には、上記構成（５）の場合と同様に、第１防犯フランジ部と第２防犯フランジ部とが下枠部にさらに強固に一体化されるため、サッシがより一層防犯性能に優れたものとなる。
【００２３】
なお、第２発明のサッシは、一の障子のみが滑動するものであればよく、例えば、枠部の半分の領域が構造物の壁部によって閉じられており一の障子のみが滑動して枠内部を開閉するものや、外障子と内障子との何れか一方がはめ殺しになっており一の障子のみが滑動して枠内部を開閉するもの等をも含む概念である。
【００２４】
さらに、第２発明のサッシを上記構成（１）〜（６）のように構成すれば、第１発明のサッシと同様に、第２発明のサッシにさらに優れた防犯性能（あるいはバリアフリー性能）を付与することができる。
【発明を実施するための最良の形態】
【００２５】
本発明のサッシは、住宅や店舗に代表される各種の構造物に用いることができる。
【００２６】
本発明のサッシにおいて、第１発明における第１レール部および第２レール部と、第２発明におけるレール部とは枠体の下枠部と一体に形成しても良いし、下枠部と別体に形成し、溶接、接着、螺合等の既知の方法で接合一体化してもよい。また、第１発明における第１防犯フランジ部および第２防犯フランジ部と、第２発明における防犯フランジ部とは、同様に下枠と一体成形しても良いし、別体で形成したものを下枠と接合一体化しても良い。第１レール部、第２レール部、レール部、第１防犯フランジ部、第２防犯フランジ部および防犯フランジ部を下枠と一体成形すると、強度が高くなり、防犯性能がより向上する利点がある。
【００２７】
枠体、内障子、外障子、障子は、金属材料に代表される種々の高強度材料から形成することができる。内障子、外障子および障子は、金属製のフレームにガラス等を嵌め込んで構成することもできるし、あるいは単一材料のみから構成することもできる。
【実施例】
【００２８】
以下、本発明のサッシを図面を基に説明する。
【００２９】
（実施例１）
実施例１のサッシは第１発明のサッシであり、上記構成（１）〜（５）の全てを備えるものである。実施例１のサッシを模式的に表す正面図を図１に示し、実施例１のサッシを開いた様子を模式的に表す断面図を図２に示し、図２の要部拡大図を図３に示す。なお、本明細書において、上、下、左、右とは図１に示される各方向を指し、室内側、室外側とは、図２に示される各方向を指す。
【００３０】
本実施例のサッシは、第１レール部３０、第２レール部３１、第１防犯フランジ部２０、および第２防犯フランジ部２１が一体に形成されている枠体１と、外障子５と、内障子６とを備える。
【００３１】
枠体１は、図１に示すように、長尺に形成されている下枠部１０および上枠部１１からなる一対の横枠と、同じく長尺に形成されている左枠部１２と右枠部１３とからなる一対の縦枠と、から構成され、この４つの部材がそれぞれの長尺方向の端部で組み合わされた矩形の枠状に形成されている。この枠体１は、構造物の室内外を区画する壁部に設けられた貫通窓（図示せず）の内周面に取付される。
【００３２】
枠体１の底部を構成する下枠部１０には、図２および図３に示すように、第１レール部３０、第２レール部３１、第１防犯フランジ部２０、および第２防犯フランジ部２１が一体に形成されている。以下、第１レール部３０および第２レール部３１を総称して単にレール部３と称し、第１防犯フランジ部２０と第２防犯フランジ部２１とを総称して単に防犯フランジ部２と称する。
【００３３】
レール部３および防犯フランジ部２は、下枠部１０のうち室外側から室内側に向けて、第１防犯フランジ部２０、第１レール部３０、第２防犯フランジ部２１、第２レール部３１の順に配され、下枠部１０の長尺方向に沿って互いに平行となるように延設されている。そして、各々のレール部３および防犯フランジ部２は、枠内部方向、すなわち上方に突出している。本実施例のサッシにおいては、下枠部１０、レール部３、および防犯フランジ部２は、アルミニウムを材料とし押し出し成形により形成されている。また、上枠部１１、右枠部１３、および左枠部１２もまたアルミニウムを材料とした押し出し成形により形成されている。なお、本実施例のサッシでは、下枠部１０のうち室外側の端部には、防犯フランジ部２よりも突出高さの低い網戸レール部４０が下枠部１０と一体に設けられている。網戸レール部４０は、レール部３と同様に、下枠部１０の長尺方向に沿って延設され、枠内部方向に突出している。そして、この網戸レール部４０には図示しない網戸が取付される。
【００３４】
第１レール部３０の突出端には室内側に屈曲した第１レール突起部３００が形成され、第２レール部３１の突出端にも室内側に屈曲した第２レール突起部３０１が形成されている。また、第１防犯フランジ部２０の突出端には室内側に延びる第１突起部２００が形成され、第２防犯フランジ部２１の突出端には室内側に延びる第２突起部２０１が形成されている。さらに、各々のレール部３同士は肉厚すなわち室内外方向の厚さが同じになっており、各々の防犯フランジ部２同士もまた肉厚が同じになっている。防犯フランジ部２はレール部３よりも厚肉に形成されている。各々のレール部３および防犯フランジ部２は、突出高さが同じになっている。換言すれば、各レール部３および各防犯フランジ部２の突出端は、上下方向に同位置に配されている。
【００３５】
外障子５は、アルミニウム材料からなり枠状に形成されている第１フレーム部５０と、第１フレーム部５０の枠内部に嵌め込まれている第１ガラス板５１とから構成されて、矩形の板状に形成されている。第１フレーム部５０の底部を構成する第１下框５２には、第１レール部３０の突出端側を挟持する第１溝部５３が設けられている。内障子６も同様に、第２フレーム部６０と第２ガラス板６１とから構成され矩形の板状に形成されている。そして、第２下框６２には第２レール部３１の突出端側を挟持する第２溝部６３が設けられている。図２および図３に示されるように、外障子５は第１下框５２が第１レール部３０に取付されて第１レール部３０上を滑動する。また内障子６は第２下框６２が第２レール部３１に取付されて第２レール部３１上を滑動する。外障子５および内障子６がレール部３上を滑動することによって、枠体１の枠内部が開閉される。また、外障子５が第１レール部３０に取付され内障子６が第２レール部３１に取付されているので、外障子５と内障子６とが互いに引き違い状に滑動して枠内部を開閉するようになっている。また、図示しないが、外障子５の左端部と内障子６の右端部との間にはクレセント錠が取付されており、外障子５と内障子６とを図１に示す閉位置に施錠固定できるようになっている。
【００３６】
図２および図３に示されるように、外障子５の下端部（第１下框５２の下端部）は第１防犯フランジ部２０によって室外側から遮蔽されている。また、内障子６の下端部（第２下框の下端部）は、第２防犯フランジ部２１によって室外側から遮蔽されている。さらに、図３に示されるように、外障子５の下端部ａ（第１下框５２の下端部）は、第１防犯フランジ部２０の突出端のうち室内側の端部（突起部２００の端部）と、第１レール部３０の基部のうち室外側の端部と、を通る直線（Ｌ１）よりも下方に配されている。そして、内障子６の下端部ｂ（第２下框６２の下端部）は、第２防犯フランジ部２１の突出端のうち室内側の端部（突起部２０１の端部）と、第２レール部３１の基部のうち室外側の端部と、を通る直線（Ｌ２）よりも下方に配されている。
【００３７】
本実施例のサッシでは、第１防犯フランジ部２０によって外障子５の下端部が室外側から遮蔽されており、第２防犯フランジ部２１によって内障子６の下端部が室外側から遮蔽されている。したがって、外障子５と内障子６とを施錠固定した状態で室外側から外障子５や内障子６を外すためには、バールを第１防犯フランジ部２０や第２防犯フランジ部２１の上方から差し込んで外障子５の下端部と下枠部１０との隙間（図３中点線Ａ部分）や内障子６の下端部と下枠部１０との隙間（図３中点線Ｂ部分）に到達させる必要がある。しかし、外障子５の下端部が第１防犯フランジ部２０で遮蔽され、内障子６の下端部が第２防犯フランジ部２１で遮蔽されているために、第１防犯フランジ部２０や第２防犯フランジ部２１に干渉されて、外障子５の下端部と下枠部１０との隙間Ａや内障子６の下端部と下枠部１０との隙間Ｂにバールを到達させることができない。このため、本実施例のサッシは施錠した状態での各障子の外され難さ、すなわち、防犯性能に優れたものとなる。
【００３８】
なお本発明のサッシにおいては、各防犯フランジ部２の突出高さや、各防犯フランジ部２の配置位置、突起部２００、２０１の有無等は、所望する防犯性能に応じて適宜設定すればよい。すなわち、例えば各防犯フランジ部２の突出を小さく設けて本実施例のものと同程度の防犯性能を得たい場合には、各防犯フランジ部２の突出端部が直線Ｌ１や直線Ｌ２上に配されるように、各防犯フランジ部２を各レール部３に近接させて配したり、各防犯フランジ部２の突起部２００、２０１を各レール部３方向に長く突出させればよい。また、例えば各防犯フランジ部２と各レール部３との間隔を大きく設けて本実施例のものと同程度の防犯性能を得たい場合には、各防犯フランジ部２の突出端部が直線Ｌ１や直線Ｌ２上に配されるように、各防犯フランジ部２の突出高さを大きく設ければよい。
【００３９】
なお、本実施例では、外障子５の室外側の下端部ａが直線Ｌ１よりも下方に配され、内障子６の室外側の下端部ｂが直線Ｌ２よりも下方に配されているが、本発明のサッシにおいては、外障子５の室外側の下端部ａが直線Ｌ１よりも上方に配され、内障子６の室外側の下端部ｂが直線Ｌ２よりも上方に配されていてもよい。すなわち、第１防犯フランジ部２０によって外障子５の下端部ａが室外側から遮蔽され、第２防犯フランジ部２１によって内障子６の下端部ｂが室外側から遮蔽されれば、外障子５や内障子６の下端部ａ、ｂが室外側に露出している場合に比べて、著しく優れた防犯性能が発揮される。
【００４０】
また、本実施例では、レール部３および防犯フランジ部２は下枠部１０と一体に形成されているが、別体で形成した後に接合一体化しても良い。少なくとも防犯フランジ部２を下枠部１０と一体に形成すれば、本実施例のものと同程度に優れた防犯性能が発揮される。また、防犯フランジ部２と下枠部１０とを別体で形成して接合一体化する場合でも、接合部分を室外側に露出しない位置に設ける等すれば、充分な防犯性能が発揮される。
【００４１】
本実施例では、第１レール部３０、第２レール部３１、第１防犯フランジ部２０、および第２防犯フランジ部２１の突出高さを同じにして、サッシに優れたバリアフリー性能を付与しているが、防犯性能の面からはこれらを特に同じ突出高さにしなくても良い。例えば、防犯フランジ部２の突出高さがレール部３の突出高さよりも高くなるようにすれば、防犯性能がより高められる。
【００４２】
なお、本発明のサッシにおいて、突出高さが同じ、とはこれらの突出高さがほぼ同じもの、すなわち、５ｍｍ以内の段差を許容する。突出高さの差異がこの範囲内であれば、上述したバリアフリー性能が十分に発揮される。
【００４３】
本実施例では、第１防犯フランジ部２０や第２防犯フランジ部２１の肉厚が略一定に形成されているが、例えば図４に示すように、これら防犯フランジ部２の基部のみを厚肉に形成しても良い。この場合にも、防犯フランジ部２は下枠部１０に強固に一体化され、その強度が高くなるために、大きな外力が加えられた際にも変形等の不具合が生じることはなく、優れた防犯性能が発揮される。
【００４４】
第１発明のサッシは、障子が３以上のものに適用することもできる。この場合には、第３の障子に対応する第３レール部よりも室外側の位置に、第１フランジ部および第２フランジ部と同様に第３フランジ部を設ければよい。
【００４５】
さらに、実施例１のサッシのうち外障子５を閉位置ではめ殺しにすると、第２発明のサッシとなるが、この場合にも同様に、内障子６の下端部が第２防犯フランジ部２１で遮蔽されていれば、内障子６の下端部と下枠部１０との隙間Ｂにバールを到達させることができない。よって、第２発明のサッシもまた防犯性能に優れたものとなる。
【図面の簡単な説明】
【００４６】
【図１】実施例１のサッシを模式的に表す正面図である。
【図２】実施例１のサッシを開いた様子を模式的に表す断面図である。
【図３】図２の要部拡大図である。
【図４】本発明のサッシにおける第１防犯フランジ部の他の例を模式的に表す断面図である。
【符号の説明】
【００４７】
１：枠体  ５：外障子  ６：内障子  １０：下枠部  ２０：第１防犯フランジ部  ２１：第２防犯フランジ部  ３０：第１レール部  ３１：第２レール部
【図１】
2006144275.tif 000003
【図２】
2006144275.tif 000004
【図３】
2006144275.tif 000005
【図４】
2006144275.tif 000006